(57)【特許請求の範囲】
【請求項１】
複数の垂木材の棟側端部が固定される棟材と、
少なくとも前記棟材の頂部を上側から覆う棟包み材と、
前記棟材と前記棟包み材との間に介設され、前記棟包み材を前記棟材に固定するための連結材とを備え、
前記連結材が、前記棟材および前記棟包み材と別体の１または複数の連結材ピースで構成され、
前記連結材ピースは、縦長の中空形材を略逆台形形状に切断して構成されていることを特徴とする簡易屋根。
【請求項２】
桁行き方向の一方の端部を建物の躯体に添設した合掌形式の簡易屋根において、
複数の垂木材の棟側端部が固定される棟材と、
少なくとも前記棟材の頂部を上側から覆う棟包み材と、
前記棟材と前記棟包み材との間に介設され、前記棟包み材を前記棟材に固定するための連結材とを備え、
前記連結材が、前記棟材および前記棟包み材と別体の１または複数の連結材ピースで構成され、
前記連結材ピースは、縦長の中空形材を略逆台形形状に切断して構成されていることを特徴とする簡易屋根。
【請求項３】
桁行き方向の端部において、前記棟包み材の各小口端と最外端に位置する前記各垂木材の外面とは略面一に配設されていることを特徴とする請求項１または２に記載の簡易屋根。
【請求項４】
請求項１ないし３のいずれかに記載の簡易屋根を備えたことを特徴とする風除室。
【発明の詳細な説明】
【０００１】
【発明の属する技術分野】
本発明は、例えば風除室やサンルーム等に組み込まれる簡易屋根およびこれを備えた風除室に関する。
【０００２】
【従来の技術】
従来、この種の簡易屋根として、例えば実開昭６０−１２９４１２号公報に記載の合掌形式のものが知られている。この簡易屋根の棟材は、複数の垂木材を受ける左右一対の垂木材受けと両垂木材受けを支持する棟材本体とから成り、これらは左右２つ割構造の形材で構成されている。棟材本体は、垂木材受けの下端を支持するベース部と、垂木材受けの上端を支持する縦長の中空部と、中空部の上端から両垂木材受けを覆うように断面円弧状に左右に延在する棟包み部とで構成されている。
この場合、棟材の両外端部（両小口）は、最外端の垂木材の接合部分に突き当てるように組み込まれている。そして、垂木材受けの下端を中心に、断面円弧状に形成した垂木材受けの上片と棟包み部との固定箇所を変更することにより両垂木材受け、すなわち合掌の角度（屋根勾配）変更が可能になっている。
【０００３】
【発明が解決しようとする課題】
このような従来の簡易屋根では、棟部分において、現場でのシール（コーキング）箇所が多くなり、施工に手間がかかると共にシール不良が生じ易い問題がある。特に、棟材の両小口と最外端の垂木材接合部分との間は、この接合部分に対し棟材を単純に突き当てている構造であるため、シール部分が棟材の断面形状に倣って複雑になり、施工不良やシール切れが生じ易い問題がある。
【０００４】
本発明は、棟部分の組立て性を損なうことなく、シール性を向上させることができる簡易屋根およびこれを備えた風除室を提供することを課題とする。
【０００５】
【課題を解決するための手段】
本発明の簡易屋根は、複数の垂木材の棟側端部が固定される棟材と、少なくとも棟材の頂部を上側から覆う棟包み材と、棟材と棟包み材との間に介設され、棟包み材を棟材に固定するための連結材とを備え、連結材が、棟材および棟包み材と別体の１または複数の連結材ピースで構成され、連結材ピースは、縦長の中空形材を略逆台形形状に切断して構成されていることを特徴とする。
【０００６】
同様に、本発明の他の簡易屋根は、桁行き方向の一方の端部を建物の躯体に添設した合掌形式の簡易屋根において、複数の垂木材の棟側端部が固定される棟材と、  少なくとも棟材の頂部を上側から覆う棟包み材と、棟材と棟包み材との間に介設され、棟包み材を棟材に固定するための連結材とを備え、連結材が、棟材および棟包み材と別体の１または複数の連結材ピースで構成され、連結材ピースは、縦長の中空形材を略逆台形形状に切断して構成されていることを特徴とする。
【０００７】
これらの構成によれば、垂木材が固定される棟材を上側から覆う棟包み材を設けることにより、棟材のシール性を向上させることができる。また、棟材と棟包み材との間にこれらを連結する連結材を介設し、且つ連結材を複数の連結材ピースで構成しているため、棟包み材に切欠き加工等を施すことなく、これを最外端に位置する垂木材の外面位置まで延長することが可能になる。すなわち、棟部における頂部全体を、棟包み材で覆うことが可能になる。なお、棟包み材で棟材の頂部のみならず、全体を覆ってもよい。そして、これらの構造は、合掌形式の簡易屋根は元より、片流れ形式の簡易屋根にも適用可能である。
また、縦長中空形材の上板の桁行き方向両端部で、連結材ピースを棟包み材にねじ止めする場合、中空形材の下板に工具（ドライバ）用の操作孔を形成する必要がなくなる。また、定尺の形材を、複数箇所に亘って「ハ」字状に斜めに切断してゆくことで略逆台形形状の複数の連結材ピースを、無駄なく切り出すことができる。
【００１０】
これらの場合、桁行き方向の端部において、棟包み材の各小口端と最外端に位置する各垂木材の外面とは略面一に配設されていることが、好ましい。
【００１１】
この構成によれば、最外端に位置する垂木材の棟側端部も棟包み材で覆うことができる。すなわち、棟部における頂部全体を棟包み材で覆うことができ、この部分のシール性をより一層向上させることができる。
【００１４】
本発明の風除室は、上記した簡易屋根を備えたことを特徴とする。
【００１５】
この構成によれば、組立ての容易性を損なうことなく、シール（雨仕舞い）性を向上させることができる。
【００１６】
【発明の実施の形態】
以下、添付図面を参照して、本発明の一実施形態に係る簡易屋根および風除室を、雪国などで玄関先に設ける風除室とその風除室屋根に適用した場合について説明する。この風除室は、いわゆる合掌形式の風除室屋根を有しており、一方の妻側が玄関先の建物の躯体に添設されている。図１は風除室屋根の断面図であり、図２はその正面図である。また、図３および図４は、図１のＡ−Ａ線断面図およびＢ−Ｂ線断面図である。
【００１７】
これらの図に示すように、風除室屋根１は、躯体Ｗ側に合掌形式で設けた左右一対の躯体側垂木２，２と、正面側に合掌形式で設けた左右一対の正面側垂木３，３と、これら躯体側垂木２および正面側垂木３間に平行に設けた複数組の中間部垂木４と、これら垂木２，３，４間に設けた複数枚の屋根葺き材５と、各躯体側垂木２および各中間部垂木４の棟側端部が固定される棟材６と、棟材６の上側に設けた棟包み材７と、棟包み材７および棟材６間に介設した連結材８とで構成されている。そして、上記の棟材６、棟包み材７および連結材８により、風除室屋根１の棟部９が構成されている。
【００１８】
なお、一対の正面側垂木３，３および一対の躯体側垂木２，２は、風除室屋根１の妻側の最外端に位置し、それぞれ合掌形式の前枠および後枠を兼ねている。また、上記の躯体側垂木２、正面側垂木３、中間部垂木４、棟材６、棟包み材７および連結材８、並びに後述する方立１１、縦枠１２、桁材１３、梁材および吊束１４は、その構成材料がそれぞれアルミニウムの形材等で構成されている。
【００１９】
一方、風除室屋根１の四隅に位置して、正面側には一対の方立１１，１１が躯体Ｗ側には一対の縦枠１２，１２が設けられており、一対の方立１１，１１の上端には一対の正面側垂木３，３の軒側がそれぞれ固定されている。また、前後に位置する各方立１１の上端部および各縦枠１２の上端間には、左右の一対の桁材１３，１３がそれぞれ掛け渡されており、この両桁材１３，１３に一対の躯体側垂木２，２の軒側および複数の中間部垂木４の軒側がそれぞれ支持されている。
【００２０】
さらに、正面に位置する一対の方立１１，１１間には、梁材（陸ばり：図示省略）が掛け渡されると共に、梁材の中間位置には吊束１４が立設されている。そして、吊束１４の上端部には、一対の正面側垂木３，３の棟側端部３ａ，３ａがそれぞれ載置固定され、かつ吊束１４の上端部から延びる正面側ブラケット１６には、棟材６の正面側の端部が支持固定されている（図５参照）。同様に、棟材６の躯体側端部は、躯体Ｗに固定した躯体側ブラケット１７に支持固定されている。また、躯体Ｗには、屋根面（合掌）に沿うように一対の水切り材１８，１８が固定されている。
【００２１】
棟部９を構成する棟材６の両小口は、躯体Ｗ側が躯体Ｗに直接突き当てられ、正面側が一対の正面側垂木３，３の棟側端部（突合せ部分）３ａ，３ａに突き当てられている。これに対し、棟包み材７の両小口は、躯体Ｗ側は躯体Ｗに突き当てられているが、正面側は正面側垂木３，３の突合せ部分３ａの外面位置まで延びている。そして、この棟包み材７の正面側の小口には、吊束１４の位置まで下方に延びる棟部キャップ１９が装着されている。
【００２２】
同様に、各躯体側垂木２、各正面側垂木３および各中間部垂木４の軒側の小口には、それぞれ軒部キャップ２１が装着されている。そして、この各軒部キャップ２１に位置決めするように横樋２２が、適宜取り付けられるようになっている。なお、上記の一対の躯体側垂木２，２、一対の縦枠１２，１２、躯体側ブラケット１７および水切り材１８は、それぞれコーチねじ２３等により躯体Ｗに添設固定されている。
【００２３】
ここで、各構成材の構造について詳細に説明する。図１に示すように、桁材１３は、中空形状の桁材本体３１と、桁材本体３１に上側に角度調節自在に設けた垂木支え３２と、桁材本体３１の下側に装着した上枠３３とで構成されている。桁材本体３１の上部は、断面半円状に形成されており、これに垂木支え３２の下部が角度調節可能に係合している。垂木支え３２は、上記下部の円弧係合部３５とこれに連なる垂木支持片部３６と屋根葺き材支え部３７とから成り、垂木支持片部３６で各躯体側垂木２および各中間部垂木４を支持すると共に、屋根葺き材支え部３７でビード３８を介して屋根葺き材５を支持している。
【００２４】
図１、図３および図４に示すように、各躯体側垂木２および各中間部垂木４は同一の断面形状を有しており、上下中間部に左右一対の呑込み溝部４１，４１を有して断面略方形に一体に形成されている。各呑込み溝部４１には、網入りのガラスや樹脂パネル等で構成された屋根葺き材５の縁部が挿入され、下側の乾式シール材（先付けタイプ）４２および上側の湿式シール材４３によりシールされている。
【００２５】
各正面側垂木３は、方形中空部４５と、方形中空部４５の躯体Ｗ側に突出形成した側枠取付け部４６と、方形中空部４５の下側に突出形成した上枠取付け部４７とで一体に形成された垂木本体４８を有している。垂木本体４８の側枠取付け部４６には、上記同様の屋根葺き材５の装着形態を有する呑込み溝部４９ａを形成した側枠４９が固定され、また上枠取付け部４７には、正面パネル５０用の呑込み溝部（この場合はビードでシール）５１ａを形成した上枠５１が固定されている。
【００２６】
各水切り材１８は、断面略クランク状に屈曲させた板材で構成されており（図３および図４参照）、基端部を躯体Ｗに固定された状態で、先端側が躯体側垂木２を越える位置まで延在している。そして、一対の水切り材１８，１８は、棟部９に対応する部分が棟部９に沿って切り欠かれると共に、合掌を為すように屋根葺き材５に沿って配設されている（図１参照）。これにより、風除室屋根１と躯体Ｗとの接触部分が良好に雨仕舞されている。なお、図中の符合５２は、水切り材１８と躯体Ｗとの間をシールする湿式シール材（コーキング材）である。
【００２７】
図５および図６に示すように、躯体側ブラケット１７および正面側ブラケット１６は、同一形態のいわゆるＬ字ブラケットであり、その鉛直片５４は高さ調整用（仮締め用）の長孔５５および貫通孔５６が上下に形成され、水平片５７には棟材６を固定するためのねじ用の２つの貫通孔５８，５８が形成されている。この場合、躯体側ブラケット１７は、長孔５５を介して躯体Ｗにねじ込んだコーチねじ２３により、棟部９の上下位置を調整した後本締めされ、その後貫通孔５６を介してもう１本のコーチねじ２３により固定される。同様に、正面側ブラケット１６は、吊束１４の上端部内面に対し棟部９の上下位置を調整した後、ねじ止めされる。
【００２８】
上述したように、棟部９は、躯体側垂木２および中間部垂木４を受ける棟材６と、棟材６の上側に配設した棟包み材７と、棟材６と棟包み材７とを連結する連結材８とを有している。図１および図６に示すように、棟材６は、棟包み材７を支持する棟材本体６１と、棟材本体６１の左右両側に角度調節可能に取り付けた左右一対の垂木受け６２，６２とで構成されている。
【００２９】
各垂木受け６２は、上下に鰭片６３，６３を有して各垂木２，４の棟側端部が差し込まれる差込み受け部６４と、差込み受け部６４の上下中間位置に窪入形成した呑込み溝部６５と、差込み受け部６４の上端から棟材本体６１側に延在する上取付け片６６と、差込み受け部６４の下端から棟材本体６１側に延在する下取付け片６７とで、一体に形成されている。呑込み溝部６５には、上記と同様に、湿式シール材４３と乾式シール材４２とに挟み込まれるようにして、屋根葺き材５の縁部が装着されている。
【００３０】
上取付け片６６は、棟材本体６１の上面に固定される部位であり、その先端部には下向きの脚状突起６８ａ，６８ａを形成したねじ止め部６８が形成されている。同様に、下取付け片６７は、棟材本体６１の下面に係合する部位であり、その先端部には上側に折り返すように形成した円弧状係合部６９が形成されている。
【００３１】
棟材本体６１は、左右対称形状を為しており、上側から連結材８が差し込まれる差込み溝部７１と、差込み溝部７１を挟んでその両側に形成した左右一対の扇状中空部７２，７２と、各扇状中空部７２から下方に延びる逆略「Ｔ」字状断面の一対の下垂部７３，７３とで、一体に形成されている。差込み溝部７１には、連結材８の略下半部が嵌合するようにして差し込まれ、この状態で差込み溝部７１を構成する下板７４から螺合した連結材固定ねじ７５により、連結材８が棟材本体６１に固定されている。
【００３２】
各扇状中空部７２の上部は、断面円弧状に形成されており、この上円弧状部７６に各垂木受け６２の上取付け片６６が固定されている。より具体的には、上円弧状部７６の上面には、上取付け片６６のねじ止め部６８が摺接可能に係合しており、合掌（各垂木）の角度調節が行われた後、ねじ止めされる。同様に、各扇状中空部７２の下部には、垂木受け６２側に突出するように中間円弧状部７７が形成されている。中間円弧状部７７および上円弧状部７６は、同心円上に配設されており、この中間円弧状部７７には各垂木受け６２の呑込み溝部６５が摺接可能に係合している。そして、この場合も、合掌（各垂木）の角度調節が行われた後、呑込み溝部６５の溝底から螺合したねじにより、呑込み溝部６５が中間円弧状部７７にねじ止めされる。
【００３３】
同様に、各下垂部７３の下部には、下円弧状部７８が形成されている。下円弧状部７８も、中間円弧状部７７および上円弧状部７６と同心円上に配設されており、下円弧状部７８には各垂木受け６２の下取付け片６７が摺接可能に係合している。このような構成の本実施形態では、図６（ａ）および（ｂ）に示すように、各垂木２，４の角度（屋根勾配）が、５°〜３０°の範囲で、変更可能に構成されている。したがって、風除室屋根１の合掌の角度を、建物の屋根等に合うように現場に合わせで、適宜調整することができる。
【００３４】
棟包み材７は、切り妻屋根と同様の断面形状を有しており、上部内側に形成したＬ字状の取付け片８１で連結材８にねじ止めされ、この状態で、横「Ｌ」字状の左右一対の着座片８２，８２が、各垂木受け６２の左右の両上取付け片６６，６６に着座するようになっている。すなわち、棟包み材７は、棟材６の頂部を広く覆っている。また、各着座片８２と各上取付け片６６との間に構成される凹部には、湿式シール材（コーキング材）８３が充填されている（図１参照）。なお、図６（ａ）および（ｂ）に示すように、棟包み材７を固定した連結材８は、棟材本体６１の差込み溝部７１に対し、幾分浮いた状態で差し込まれており、この連結材８の下面と差込み溝部７１の溝底との間に構成した間隙により、合掌の角度変更に対し棟包み材７の着座状態が維持されている。
【００３５】
図５および図６に示すように、連結材８は、縦長・方形の中空断面を有する複数（好ましくは２個または３個）の連結材ピース８Ａにより構成されている（図５では１つのみ図示）。各連結材ピース８Ａは、側面視逆台形形状に形成されており、上板部８５の端部２箇所で、包み材固定ねじ８６，８６により棟包み材７の取付け片８１にねじ止めされ、下板部８７の中心部に上記の連結材固定ねじ７５が螺合している。
【００３６】
この場合、各連結材ピース８Ａは、定尺の形材を直角から２０°傾け斜めに切断して形成される。このため、この２０°の切断端を利用して、連結材ピース８Ａを工具用操作孔なしで、棟包み材７にねじ止めできるようになっている。また、棟包み材７と連結材（連結材ピース８Ａ）８とを別部材で構成しているため、棟包み材７を正面側垂木３の外側まで延長しても、棟包み材７に切欠き等の加工が不要となる。なお、連結材８は、棟材６の長手寸法以下として単一の連結材ピース８Ａで構成することも可能である。
【００３７】
上述したように、棟包み材７の正面側小口は、正面側垂木３の突合せ部分３ａの外面位置まで延びており、この部分に棟部キャップ１９が装着されている。図２に示すように、各正面側垂木３の棟側端は直角に切断されており、両者の突合せ部分は「Ｖ」字状の間隙を存して突き合わされている。そして、棟包み材７の正面側小口を閉蓋し且つこの突合せ部分３ａを覆うように、棟部キャップ１９が設けられている。
【００３８】
棟部キャップ１９は、上部を棟包み材７の合掌に合致させ、且つ下部を吊束１４の幅に合致させた変形家形の平面形状を有し、棟包み材７の小口および吊束１４にねじ止めされている。すなわち、棟部キャップ１９は、棟包み材７の小口を閉蓋するだけでなく、両正面側垂木３の突合せ部分３ａを隠蔽している。これにより、両正面側垂木３の突合せ部分３ａを直線上に付き合わせ得るように斜めに切断する必要が無く、且つこの部分のシール性を向上させることができる。
【００３９】
ここで、風除室屋根１の組立て手順を簡単に説明する。予め、一対の方立１１，１１、一対の縦枠１２，１２、一対の桁材（垂木支え３２を除く）１３、梁材および吊束１４は、組み上がっているものとする。この状態から先ず、躯体側ブラケット１７を躯体Ｗに、正面側ブラケット１６を吊束１４に仮固定する。次に、棟材本体６１を両ブラケット１６，１７に固定する。
【００４０】
一方、上記の作業に相前後し地上において、躯体側垂木２、正面側垂木３および各中間部垂木４を、垂木支え３２および垂木受け６２に組み付け、左右の各屋根部分をそれぞれ組み上げておく。そして、垂木受け６２を棟材本体６１に係合させ且つ垂木支え３２を桁材（桁材本体３１）１３上に載せるようにして、両屋根部分（片側づつ）をそれぞれセットする。ここで、合掌の角度を微調整（補正）し水平等を出した後、両ブラケット１６，１７をそれぞれ本固定する。その後、垂木受け６２を棟材本体６１に固定すると共に、垂木支え３２を桁材（桁材本体３１）１３に固定する。
【００４１】
次に、棟包み材７に連結材（複数の連結材ピース８Ａ）８を固定しておいて、これを棟材本体６１に差し込むようにしてセットする。ここで、棟包み材７の着座を確認しながら連結材固定ねじ７５を締め付ける。続いて、棟部キャップ１９を取り付けると共に、左右の水切り材１８，１８を固定する。そして、屋根葺き材５を装着し、最後に各部のコーキングを行う。
【００４２】
以上のように本実施形態では、棟包み材７を正面側垂木３の突合せ部分３ａの外面位置まで延在させているため、合掌の角度調節可能な棟材６の頂部全体を棟包み材７で覆うことができ、構造上シール性を高めることができる。また、コーキング箇所を極力少なくすることができるため、この点でもシール性を向上させることができる。しかも、別体で構成した連結材ピース８Ａにより、棟包み材７を棟材６に固定するようにしているため、棟包み材７に特段の加工を施すことなく、これを簡単に組み付けることができ、施工性を向上させることができる。
【００４３】
なお、本実施形態では、簡易屋根を風除室屋根に適用した場合について説明したが、本発明の簡易屋根は、合掌屋根であるか片流れ屋根であるかを問わず、サンルーム、カーポート、テラス屋根等に適用できることは、いうまでもない。また、風除室屋根の正面側の構造を躯体側の構造に適用することで、独立した合掌屋根を構成することも可能である。
【００４４】
【発明の効果】
以上のように本発明の簡易屋根および風除室によれば、棟材と棟包み材との間に介設する連結材を複数の連結材ピースで構成しているため、施工性を損なうことなく、また棟包み材を最外端の垂木材の外面位置まで延長することも可能になり、棟部分のシール性を向上させることができる。
【図面の簡単な説明】
【図１】本発明の一実施形態に係る風除室屋根の梁間方向断面図である。
【図２】実施形態に係る風除部屋根の正面図である。
【図３】図１のＡ−Ａ線断面図である。
【図４】図１のＢ−Ｂ線断面図である。
【図５】中間部を省略して表した風除室屋根の棟部廻りの側面図である。
【図６】風除室屋根の棟部廻りの拡大裁断正面図である。
【符号の説明】
１  風除室屋根、２  躯体側垂木、３  正面側垂木、３ａ  棟側端部（突合せ部分）、４  中間部垂木、５  屋根葺き基材、６  棟材、７  棟包み材、８  連結材、８Ａ  連結材ピース、１９  棟部キャップ、６１  棟材本体、６２  垂木受け、７１  差込み溝部、７５  連結材固定ねじ、８５  上板部、８６  包み材固定ねじ、８７  下板部、Ｗ  躯体
【図１】
0003833549.tif 000002
【図２】
0003833549.tif 000003
【図３】
0003833549.tif 000004
【図４】
0003833549.tif 000005
【図５】
0003833549.tif 000006
【図６】
0003833549.tif 000007